(57)【要約】非アクティブ状態からのRRC再開手順が失敗した場合にNR RRC内のユーザ装置(UE)が古い無線デバイス（130）による方法が本明細書で説明される。デバイス(130)は、セル(121)からの信号の測定値が閾値未満であると決定すると、(301)デバイス(130)が最後に実行したセル選択または再選択からの時間の長さが第2の閾値を超えていること、および(ii)隣接セル測定値がセル再選択をトリガすることに失敗した回数が第3の閾値を超えていることのうちの少なくとも1つを決定する。この決定に基づいて、デバイス(130)は、最後のセル選択または再選択の後に測定された信号の最強の信号値をより低い値にリセットする(302)。無線デバイス(130)は、a)リセット値とb)信号の現在の測定値との間の差が第4の閾値を上回るか否かに基づいて、別のセル(122)を測定するか否かを決定する(303)。次に、無線デバイス(130)は、決定に基づいて他のセル(122)の測定を開始する(304)。【選択図】図3
2020530219.tif 000002
【特許請求の範囲】
【請求項１】
無線デバイス（１３０）によって実行される、セル選択および／またはセル再選択を処理するための方法であって、前記無線デバイス（１３０）は第１のセル（１２１）と第２のセル（１２２）を有する無線通信ネットワーク（１００）で動作し、前記方法は、
前記第１のセル（１２１）からの第１の信号の第１の測定値の結果が、前記第１の測定値が第１の閾値未満であることを決定することと、
ｉ．前記無線デバイス（１３０）が最後にセル選択または再選択を実行してからの時間の長さが第２の閾値を超えていること、および、
ｉｉ．隣接セル測定がセル再選択をトリガすることに失敗した回数が第３の閾値を超えていること、
のうちの少なくとも１つを決定すること（３０１）と、
前記無線デバイス（１３０）による最後のセル選択または再選択の後に測定された前記第１の信号の最強の信号値を、前記時間の長さおよび前記回数のうちの少なくとも１つの前記決定の第１の結果に基づいて、より低い値にリセットすること（３０２）と、
ａ）前記無線デバイス（１３０）による前記最後のセル選択または再選択の後に測定された前記第１の信号の前記リセットされた最強の信号値と、ｂ）前記第１のセル（１２１）からの前記第１の信号の現在の測定値との間の差が第４の閾値を上回るか否かに基づいて、前記第２のセル（１２２）からの第２の信号を測定するか否かを決定すること（３０３）と、
測定するか否かの前記決定の第２の結果に基づいて、前記第２の信号を測定することを開始すること（３０４）、を含む、方法。
【請求項２】
請求項１に記載の方法であって、前記第１のセル（１２１）はサービングセル（１２１）であり、前記第２のセル（１２２）は隣接セル（１２２）である、方法。
【請求項３】
請求項２に記載の方法であって、前記より低い値は、前記第１のセル（１２１）からの前記第１の信号の前記現在の測定値である、方法。
【請求項４】
請求項１から３のいずれか１項に記載の方法であって、
ｉ．前記第１の信号の前記第１の測定値はSrxlevであり、
ｉｉ．前記第１の閾値は、SSearchPであり、
ｉｉｉ．前記無線デバイス（１３０）による前記最後のセル選択または再選択の後に測定された前記第１の信号の前記最強の信号値は、Strongestservingであり、
ｉｖ．前記第１のセル（１２１）からの前記第１の信号の前記現在の測定値は、Currentservingであり、
ｖ．前記第２の閾値は、TStrongestSrxlevであり、
ｖｉ．前記第４の閾値は、DeltaSIである、方法。
【請求項５】
請求項１から４のいずれか１項に記載の方法であって、前記無線通信ネットワーク（１００）は、狭帯域インターネットオブシングス（ＮＢ−ＩｏＴ）、および拡張マシンタイプ通信（ｅＭＴＣ）のうちの少なくとも１つで動作する、方法。
【請求項６】
少なくとも１つのプロセッサ（４０６）上で実行されると、少なくとも１つのプロセッサ（４０６）に、請求項１から５のいずれか１項に記載の方法を実行させる命令を含む、コンピュータプログラム（４１０）。
【請求項７】
少なくとも１つのプロセッサ（４０６）上で実行されると、少なくとも１つのプロセッサ（４０６）に、請求項１から５のいずれか１項に記載の方法を実行させる命令を含む、コンピュータプログラム（４１０）を記憶したコンピュータ可読記憶媒体（４１１）。
【請求項８】
セル選択および／または再選択を処理するように構成された無線デバイス（１３０）であって、前記無線デバイス（１３０）は第１のセル（１２１）および第２のセル（１２２）を有するように構成された無線通信ネットワーク（１００）において動作するようにさらに構成され、無線デバイス（１３０）はさらに、
前記第１のセル（１２１）からの第１の信号の第１の測定値の結果が、前記第１の測定値が第１の閾値未満であることを決定し、
ｉ．前記無線デバイス（１３０）が最後にセル選択または再選択を実行してからの時間の長さが第２の閾値を超えていること、および、
ｉｉ．隣接セル測定がセル再選択をトリガすることに失敗した回数が第３の閾値を超えていること、
のうちの少なくとも１つを決定し、
前記無線デバイス（１３０）による最後のセル選択または再選択の後に測定された前記第１の信号の最強の信号値を、前記時間の長さおよび前記回数のうちの少なくとも１つの前記決定の第１の結果に基づいて、より低い値にリセットし、
ａ）リセットするように構成された、前記無線デバイス（１３０）による前記最後のセル選択または再選択の後に測定された前記第１の信号の前記最強の信号値と、ｂ）前記第１のセル（１２１）からの前記第１の信号の現在の測定値との間の差が第４の閾値を上回るか否かに基づいて、前記第２のセル（１２２）からの第２の信号を測定するか否かを決定し、 
測定するか否かの前記決定の第２の結果に基づいて、前記第２の信号を測定することを開始するように構成される、無線デバイス。
【請求項９】
請求項８に記載の無線デバイス（１３０）であって、前記第１のセル（１２１）はサービングセル（１２１）であるように構成され、前記第２のセル（１２２）は隣接セル（１２２）であるように構成される、無線デバイス。
【請求項１０】
請求項９に記載の無線デバイス（１３０）であって、前記より低い値は、前記第１のセル（１２１）からの前記第１の信号の前記現在の測定値である、無線デバイス。
【請求項１１】
請求項９から１０のいずれかに記載の無線デバイス（１３０）であって、
ｉ．前記第１の信号の前記第１の測定値は、Srxlevであるように構成され、
ｉｉ．前記第１の閾値は、SSearchPであるように構成され、
ｉｉｉ．前記無線デバイス（１３０）による前記最後のセル選択または再選択の後に測定された前記第１の信号の前記最強の信号値は、Strongestservingであるように構成され、
ｉｖ．前記第１のセル（１２１）からの前記第１の信号の前記現在の測定値は、Currentservingであるように構成され、
ｖ．前記第２の閾値は、TStrongestSrxlevであるように構成され、
ｖｉ．前記第４の閾値は、DeltaSIであるように構成される、無線デバイス。
【請求項１２】
請求項８から１１のいずれか１項に記載の無線デバイス（１３０）であって、前記無線通信ネットワーク（１００）は、狭帯域インターネットオブシングス（ＮＢ−ＩｏＴ）、および拡張マシンタイプ通信（ｅＭＴＣ）のうちの少なくとも１つで動作する、無線デバイス。
【発明の詳細な説明】
【技術分野】
【０００１】
本開示は一般に、セル選択および／または再選択を処理するためにそれによって実行される無線デバイスおよび方法に関する。本開示はさらに、一般に、通信デバイスによって実行されるような、本明細書で説明されるアクションを実行するための命令を備えるコンピュータプログラム製品に関する。コンピュータプログラム製品は、コンピュータ可読記憶媒体に記憶されてもよい。
【背景技術】
【０００２】
無線通信ネットワーク内の通信デバイスは、例えば、ユーザ装置（ＵＥ）、ステーション（ＳＴＡ）、移動端末、無線端末、端末、および／または移動局（ＭＳ）などの無線デバイスであり得る。無線デバイスは、セルラ無線システム、セルラシステム、またはセルラネットワークとも呼ばれることがあるセルラ通信ネットワークまたは無線通信ネットワークにおいて無線で通信することが可能にされる。通信は、例えば、無線通信ネットワーク内に含まれる無線アクセスネットワーク（ＲＡＮ）、および場合によっては１つまたは複数のコアネットワークを介して、２つの無線デバイス間で、無線デバイスと通常の電話との間で、および／または無線デバイスとサーバとの間で実行され得る。無線デバイスはさらに、いくつかのさらなる例を単に言及するために、移動電話、セルラ電話、ラップトップ、または無線能力を有するタブレットと呼ばれることがある。本文脈における無線デバイスは例えば、ＲＡＮを介して、別の端末またはサーバなどの別のエンティティと音声および／またはデータを通信することが可能な、ポータブル、ポケット格納可能、ハンドヘルド、コンピュータ構成、または車両搭載モバイルデバイスであり得る。
【０００３】
通信デバイスは、無線ネットワークノード、例えば、伝送ポイント（ＴＰ）のようなネットワークノードであってもよい。無線通信ネットワークは、セルエリアに分割され得る地理的エリアをカバーし、各セルエリアは使用される技術および用語に応じて、基地局（ＢＳ）、例えば、無線基地局（ＲＢＳ）などのネットワークノードによってサービスされ、無線基地局は例えば、ｇＮＢ、進化型ノードＢ（「ｅＮＢ」）、「ｅＮｏｄｅＢ」、「ＮｏｄｅＢ」、「Ｂノード」、またはＢＴＳ(基地トランシーバ局）と呼ばれることがある。基地局は例えば、広域基地局、中距離基地局、ローカルエリアネットワーク基地局、およびホーム基地局のような異なるクラスのものであってもよく、送信電力に基づいて、それによってセルサイズに基づいてもよい。セルは、基地局サイトにおいて基地局によって無線カバレッジが提供される地理的エリアである。基地局サイト上に位置する１つの基地局は、１つまたは複数のセルにサービスを提供することができる。さらに、各基地局は、１つまたは複数の通信技術をサポートすることができる。無線通信ネットワークはまた、サービングビームを用いて、無線デバイスなどの受信ノードにサービスを提供することができるネットワークノードを備える、非セルラシステムであってもよい。３ＧＰＰ（第３世代パートナーシッププロジェクト）ＬＴＥ（ロングタームエボリューション）では、ｅＮｏｄｅＢまたはｅＮＢと呼ばれる基地局が１つまたは複数のコアネットワークに直接接続され得る。本開示の文脈において、ダウンリンク（ＤＬ）という表現は、基地局から無線デバイスへの伝送経路のために使用され得る。アップリンク（ＵＬ）という表現は逆方向、すなわち、無線デバイスから基地局への伝送経路のために使用され得る。
【０００４】
［セルの選択と再選択］
セルラーネットワークのような無線通信システムでは無線デバイスが最も適切なセル、例えば、セルにサービスを提供する最も適切な無線基地局、または少なくとも適切なセルに接続されるために、無線デバイス、例えば、無線デバイスは周囲の無線環境を周期的に監視している。適切なセルの選択は、ネットワーク決定に基づいてもよいし、自律的モバイル決定によってもよい。「無線デバイスがセルに接続されている」または同様の表現は、無線デバイスがセルと呼ばれる地理的エリア内の無線カバレージにサービスを提供する、または提供するネットワークノード、例えば、無線基地局または同様のデバイスに接続されていると解釈されるべきであることを理解されたい。さらに、本明細書では、セルと、セルにサービスを提供するネットワークノードとを互換的に参照することがあることを理解されたい。したがって、時には、セルを参照するとき、セルにサービスを提供するネットワークノードへの参照として解釈されるべきである。しかしながら、いくつかのセルが同じネットワークノードによってサービスされてもよいことが理解されるべきである。
【０００５】
可能な異なる代替処理を探索することによってセルを選択する最初の処理は、通常、セル選択と呼ばれる。セルを定期的に監視し、初期セル選択の後、監視によって取得された情報に基づいて別のセルに移動することを決定する処理は、通常、セル再選択手順と呼ばれる。
【０００６】
セル再選択のために、処理は、典型的には異なるセルから、例えば、異なる無線基地局から、または同じ基地局によってサービスされる異なるセルから、異なる信号強度を監視し、それらを降順に並べることを含む。すなわち、セルからの信号強度が強ければ強いほど、セルはキャンプオンすることにより適切である。監視されているすべてのセルの信号強度が弱い場合、一般に、セルが無線デバイスによって適切なセルと見なされるための最小許容信号強度が存在する。ここで、再選択（reselection）と再選択（re-selection）は区別なく使用される。
【０００７】
「キャンプオン」という表現は本開示で使用される場合、無線デバイスがキャンプオンしているセルにサービスを提供するネットワークノードによってサービスを提供されることを意味する。時々、本開示では無線デバイスがキャンプオンしているセルがサービングセルと呼ばれる。さらに、本明細書では「セルキャンプオン」および「サービングセル」という表現が交換可能に使用されることがある。
【０００８】
周囲の無線環境を頻繁に監視することによって、無線デバイスは、その現在の位置が与えられると、最強の信号強度を有する無線デバイスにサービスするセル、またはより強いセルのうちの少なくとも１つにキャンプオンしていることを保証され得る。無線デバイスが動き回っている場合、無線環境は変化する。したがって、周囲の無線環境で完全に最新であるためには、無線デバイスは、時間の経過に伴う変化を理解するために、近隣セルを頻繁に探索し、監視し、サービングセルを監視しなければならない。この手順は、エネルギーを消費し、バッテリをより迅速に消耗し、これらの探索手順がより頻繁に実行される。これは、電力のためにバッテリに依存する無線デバイスの欠点である。
【０００９】
頻繁なセル再選択手順から恩恵を受ける無線デバイスがあるが、むしろ、より長いバッテリ寿命を準最適セル再選択手順と交換する他のクラスの無線デバイスがある。同時に、任意の無線デバイスが通信ネットワークにおける干渉レベルを最小限に抑え、したがって、送信時間および／または受信時間を最小限に抑えるために、最適（最良）のセル、例えば、最高の信号強度を有するセル、または少なくとも良好なセル、例えば、高い信号強度を有するセルに接続されることが常に興味深い。
【００１０】
［マシン・ツー・マシン（Ｍ２Ｍ）とＩｏＴ（インターネットオブシングス）］
３ＧＰＰでは、最近、マシン・ツー・マシン（Ｍ２Ｍ）および／またはＩｏＴ（インターネットオブシングス）関連のユースケースをカバーする技術を指定することについて多くの研究がなされている。３ＧＰＰリリース１３および１４に関する最近の研究は、新しいＵＥカテゴリ（カテゴリＭ１（Ｃａｔ−Ｍ１）、カテゴリＭ２（Ｃａｔ−Ｍ２））を有するマシンタイプ通信（ＭＴＣ）をサポートし、６つの物理リソースブロック（ＰＲＢ）の低減された帯域幅（Ｃａｔ−Ｍ２−の場合は２４ＰＲＢまで）をサポートし、新しい無線インターフェースを提供する狭帯域（ナローバンド）ＩｏＴ(ＮＢ−ＩｏＴ）ＵＥ（Ｃａｔ−ＮＢ１およびＣａｔ−ＮＢ２−の場合はＵＥ）をサポートする拡張を含む。
【００１１】
ＭＴＣに対する３ＧＰＰリリース１３、１４、１５ で導入されたＬＴＥの拡張（強化）は、本書では拡張（enhanced）マシンタイプ通信（ｅＭＴＣ）と呼ばれ、帯域幅制限ＵＥに対する制限なしのサポート、Ｃａｔ−Ｍ１、カバレッジ拡張（強化）に対するサポートなどが含まれる。これは、サポートされている機能は一般的なレベルでは似ているもの、ここではあらゆるリリースに使用されているＮＢ−ＩｏＴ−記号と区別するためである。
【００１２】
「レガシー」ＬＴＥと、ｅＭＴＣおよびＮＢ−ＩｏＴに定義されている手順およびチャネルとの間には、複数の違いがある。重要な相違点としては、ｅＭＴＣではＭＴＣ物理ダウンリンク制御チャネル（ＭＰＤＣＣＨ）、ＮＢ−ＩｏＴでは狭帯域（ナローバンド）物理ダウンリンク制御チャネル（ＮＰＤＣＣＨ）、ＮＢ−ＩｏＴではＮＢ−ＩｏＴ物理ランダムアクセスチャネル（ＮＢ−ＩｏＴ物理ランダムアクセスチャネル（ＮＰＲＡＣＨ）と呼ばれる新しい物理ダウンリンク制御チャネルがある。
【００１３】
ＮＢ−ＩｏＴとＭＴＣの作業項目目標ＲＥＬ−１５は、電力節減のために同様の目標を有する。第１の目的は例えば、ＲＡＮ２およびＲＡＮ４におけるセル再選択のための緩和（relaxed）監視である。第２の目的は例えば、（再）構成によって、セル（再）選択のための緩和されたＵＥ監視を可能にすることである。
【００１４】
緩和監視の規則は、ＵＥがアイドルモードで隣接セル測定を実行する必要があり得るときを指定する。一般に、ＵＥは、サービングセル測定および隣接セル測定の両方を実行することができる。例えば、ＵＥが移動しているためにサービングセル品質が劣化し、ある閾値を下回ると、ＵＥは、再選択すべきより良い隣接セルがあるかどうかをチェックするために隣接セル測定をトリガする。しかし、ＮＢ−ＩｏＴおよびＭＴＣでは、ＵＥが深部（deep）カバレッジにある間にＵＥが静止している使用例、例えば、壁にアタッチされた地下の屋内ＵＥが存在する可能性がある。そのようなＵＥは典型的には測定閾値未満であり、隣接セルを連続的に測定することが要求される。しかしながら、そのようなＵＥは、適切な隣接セル、またはサービングセルよりも良好な品質の隣接セルを測定することができない。既存の方法によれば、そのようなＵＥは隣接セル測定を連続的に実行することを要求されるべきであり、これは、バッテリを消耗させ、信号リソースの不必要な浪費をもたらす。
【発明の概要】
【００１５】
本明細書の実施形態の目的は、無線通信ネットワークにおける無線デバイスによるセル選択および／または再選択の処理を改善することである。
【００１６】
本明細書の実施形態の第１の態様によれば、この目的は、無線デバイスによって実行される方法によって達成される。この方法は、セル選択および／または再選択を処理するためのものである。無線デバイスは、無線通信ネットワークにおいて動作する。無線通信ネットワークは、第１のセルおよび第２のセルを有する。無線デバイスは、第１のセルからの第１の信号の第１の測定値の結果が、第１の測定値が第１の閾値未満であることであると決定した。無線デバイスは、ｉ）無線デバイスが最後にセル選択または再選択を実行してからの時間の長さが第２の閾値を上回ること、およびｉｉ）隣接セル測定がセル再選択をトリガすることに失敗した回数が第３の閾値を上回ること、のうちの少なくとも１つを決定する。次に、無線デバイスは、無線デバイスによる最後のセル選択または再選択の後に測定された第１の信号の最強の（最も強い）信号値を、より低い値にリセットする。リセットは、時間の長さおよび回数のうちの少なくとも１つの決定の第１の結果に基づいて行われる。無線デバイスはさらに、第２のセルからの第２の信号を測定するか否かを決定する。これは、ａ）無線デバイスによる最後のセル選択または再選択の後に測定された第１の信号のリセットされた最強の信号値と、ｂ）第１のセルからの第１の信号の現在の測定値との間の差が第４の閾値を上回るかどうかに基づいて実行される。最後に、無線デバイスは、測定するか否かの決定の第２の結果に基づいて第２の信号の測定を開始する。
【００１７】
本明細書の実施形態の第２の態様によれば、この目的は、セル選択および／または再選択を処理するように構成された無線デバイスによって達成される。無線デバイスは、無線通信ネットワークにおいて動作するようにさらに構成される。 無線通信ネットワークは、第１のセルおよび第２のセルを有するように構成される。無線デバイスは、第１のセルからの第１の信号の第１の測定値の結果が、第１の測定値が第１の閾値未満であることを決定した後に、決定を行うようにさらに構成される。決定は、ｉ）無線デバイスが最後にセル選択または再選択を行ってからの時間の長さが第２の閾値を超えること、およびｉｉ）隣接セル測定がセル再選択をトリガすることに失敗した回数が第３の閾値を超えることのうちの少なくとも１つである。無線デバイスは、時間の長さおよび回数のうちの少なくとも１つの決定の第１の結果に基づいて、無線デバイスによる最後のセル選択または再選択の後に測定された第１の信号の最強の信号値を、より低い値にリセットするようにさらに構成される。無線デバイスはまた、第２のセルからの第２の信号を測定するか否かを決定するように構成される。これは、ａ）リセットされるように構成された、無線デバイスによる最後のセル選択または再選択の後に測定された第１の信号の最強の信号値と、ｂ）第１のセルからの第１の信号の現在の測定値との間の差が第４の閾値を上回るか否かに基づいて実行されるように構成される。無線デバイスは最後に、測定するか否かの決定の第２の結果に基づいて第２の信号の測定を開始するように構成される。
【００１８】
本明細書の実施形態の第３の態様によれば、この目的は少なくとも１つのプロセッサ上で実行されるときに、少なくとも１つのプロセッサに、無線デバイスによって実行される方法を実行させる命令を備えるコンピュータプログラムによって達成される。
【００１９】
本明細書の実施形態の第４の態様によれば、この目的は少なくとも１つのプロセッサ上で実行されたときに、少なくとも１つのプロセッサに、無線デバイスによって実行される方法を実行させる命令を含む、コンピュータプログラムをその上に格納した、コンピュータ可読記憶媒体によって達成される。
【００２０】
無線デバイスが無線デバイスが最後にセル選択および／または再選択を実行してからの時間の長さが第２の閾値を上回るか、または隣接セル測定がセル再選択をトリガすることに失敗した回数が第３の閾値を上回るか、またはその両方であることを決定することによって、より強い隣接セルがある時間量の間、実際に測定されていない可能性があると結論付けることができる。すなわち、より良い隣接セルがまだ再選択されていない可能性がある。これは例えば、無線デバイスがこの時点で静止状態になったかもしれない、すなわち、無線デバイスが例えば、サービングセルの境界に向かって移動したかもしれないが、隣接セルからの第２の信号が再選択するためにまだ強くないかもしれないセル境界エリアにおいて静止状態になったという事実によるかもしれない。そのような場合、無線デバイスは、サービングセルの第１の信号の低下（drop）を検出し得る。しかしながら、無線デバイスが隣接セルからの第２の信号を測定する場合、隣接セル測定のためのトリガ条件は満たされたままであり得るが、無線デバイスは再選択するために、いかなるより良い隣接セルも測定しない。無線デバイスが最強の信号値をより低い値にリセットし、次いで、ａ）無線デバイスによる最後のセル選択または再選択の後に測定された第１の信号のリセットされた最強の信号値と、ｂ）サービングセルからの第１の信号の現在の測定との間の差が第４の閾値を上回るかどうかに基づいて、第２の、例えば、隣接セルからの第２の信号を測定するかどうかを判断することによって、無線デバイスは、セル選択および／または再選択を監視するための要件を緩和することを可能にされ、より良好な隣接セルを見つけることを期待して、隣接測定を実行し続けることを控えることができる。したがって、無線デバイスは、電力ならびに時間−周波数リソースを節約することができる。
【図面の簡単な説明】
【００２１】
本明細書の実施形態の例は、以下の説明に従って、添付の図面を参照してより詳細に説明される。
【図１】図１は、ＵＥモビリティおよびサービングセル測定を示す概略図である。
【図２】図２は、本明細書の実施形態による、無線通信ネットワークの実施形態を示す概略図である。
【図３】図３は、本明細書の実施形態による、無線デバイスにおける方法を示すフローチャートである。
【図４】図４は、本明細書の実施形態による、無線デバイスの実施形態を示す概略ブロック図である。
【図５】図５は、本明細書の実施形態による、電気通信システムにおける方法を示すフローチャートである。
【図６】図６は、本明細書の実施形態による、ホストコンピュータの実施形態を示す概略ブロック図である。
【図７】図７は、本明細書の実施形態による、電気通信システムの実施形態を示す概略ブロック図である。
【発明を実施するための形態】
【００２２】
［用語］
以下の一般的な用語は、実施形態において使用されてもよく、以下に詳述される。
【００２３】
ネットワークノード：いくつかの実施形態では、一般的な用語「ネットワークノード」が使用される。基地局、無線基地局、トランシーバ基地局、基地局コントローラ、ネットワークコントローラ、マルチスタンダード無線ＢＳ、ｇＮＢ、Ｎｅｗ  Ｒａｄｉｏ（ＮＲ）ＢＳ、進化型ノードＢ（ｅＮＢ)、ノードＢ、マルチセル／マルチキャスト調整エンティティ（ＭＣＥ）、リレーノード、アクセスポイント、無線アクセスポイント、リモート無線ユニット（ＲＲＵ）、リモート無線ヘッド（ＲＲＨ）、マルチスタンダードＢＳ(別名MSR BS)、コアネットワークノード（例えばＭＭＥ、ＳＯＮノード、調整ノード、測位ノード、ＭＤＴノードなど）、または外部ノード（例えば第三者ノード、現在のネットワークの外部ノード）などの無線ネットワークノードを備えることができる任意の種類のネットワークノードとすることができる。
【００２４】
無線ネットワークノード：いくつかの実施形態では、無線ネットワークノードという非限定的な用語がより一般的に使用され、ＵＥにサービスを提供し、および／または、ＵＥが信号を受信する他のネットワークノードもしくはネットワーク要素、または任意の無線ノードに接続された任意のタイプのネットワークノードを指す。無線ネットワークノードの例は、ノードＢ、基地局（ＢＳ）、ＭＳＲ  ＢＳなどのマルチスタンダード無線（ＭＳＲ）無線ノード、ｅノードＢ、ネットワークコントローラ、無線ネットワークコントローラ（ＲＮＣ）、基地局コントローラ、リレー、ドナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）内のノードなどである。
【００２５】
ユーザ装置：いくつかの実施形態では、非限定的な用語のユーザ装置（ＵＥ）が使用され、それはセルラまたは移動通信システムにおいて無線ネットワークノードと通信する任意のタイプの無線デバイスを指す。ＵＥの例は、ターゲット装置、装置間ＵＥ、マシン間通信が可能なマシンタイプＵＥまたはＵＥ、ＰＤＡ、ｉＰａｄ（登録商標）、タブレット、モバイル端末、スマートフォン、ラップトップ埋め込み装備（ＬＥＥ）、ラップトップ搭載機器（ＬＭＥ）、ＵＳＢドングル、顧客宅内機器（ＣＰＥ）などである。
【００２６】
本明細書で使用される「信号」という用語は、無線信号を指し得る。本明細書で使用される「信号」という用語は、例えば、無線リソース制御（ＲＲＣ）などを介する上位レイヤ信号、例えば、物理制御チャネルまたはブロードキャストチャネルを介する下位レイヤ信号、またはそれらの組合せのうちのいずれかを含むことができる。信号は、暗黙的であっても明示的であってもよい。信号はさらに、ユニキャスト、マルチキャスト、またはブロードキャストであってもよい。信号はまた、別のノードに直接的に、または第３のノードを介してもよい。
【００２７】
本明細書で使用される「測定」という用語は、無線信号上で実行される任意の測定を指すことがある。本明細書で使用される測定値は、無線測定値を指すと理解され得る。測定値は、絶対値であっても相対値であってもよい。測定値は、信号品質および／または信号強度であり得る信号レベルとして理解され得る。測定（値）は、例えば、周波数内（イントラ周波数）、周波数間（インター周波数）、ＲＡＴ間（インターＲＡＴ）測定（値）などでありうる。無線測定（値）は、一方向的なもの、例えば、ＤＬまたはＵＬ、または、双方向的なものであり、例えばラウンドトリップタイム（ＲＴＴ）、送信−受信（Ｒｘ−Ｔｘ）等である。無線測定のいくつかの例：タイミング測定、例えば到達時間（ＴＯＡ）、タイミングアドバンス、ＲＴＴ、基準信号時間差（ＲＳＴＤ）、Ｒｘ−Ｔｘ、伝搬遅延など、角度測定、例えば到達角度（ＡＯＡ）、電力ベースの測定、例えば基準信号受信電力（ＲＳＲＰ）、基準信号受信品質（ＲＳＲＱ）、信号対干渉雑音比（ＳＩＮＲ）、信号対雑音比（ＳＮＲ）、干渉電力、総干渉雑音、受信信号強度指示（ＲＳＳＩ）、雑音電力などの受信信号電力、セル検出またはセル識別、無線リンク監視（ＲＬＭ）、システム情報（ＳＩ）読取りなど。周波数間およびＲＡＴ間測定は、ＵＥがギャップなしでそのような測定を行うことができない限り、測定ギャップにおいてＵＥによって実行され得る。測定ギャップの例は、測定ギャップｉｄ ＃ ０、４０ｍｓ毎に生じる６ｍｓの各ギャップ、測定ギャップｉｄ ＃ １、８０ｍｓ毎に生じる６ｍｓの各ギャップなどである。測定ギャップは、ネットワークノードによってＵＥにおいて構成され得る。
【００２８】
搬送波上で測定を実行することは、その搬送波上で動作する１つまたは複数のセルの信号上で測定を実行すること、または搬送波の信号上で測定を実行すること、すなわち、搬送波特定測定、例えば、ＲＳＳＩを暗示することができる。セル固有の測定値の例は、信号強度、信号品質などである。
【００２９】
本明細書の実施形態を開発することの一部として、先ず、従来技術の方法の少なくともいくつかの使用に関連する可能性があり、本明細書の実施形態によって対処される可能性がある１つまたは複数の問題を識別し、論じる。
【００３０】
移動通信のための拡張カバレッジグローバル（ＥＣ−ＧＳＭ）では、TS 45.008, V14.1.0 (2017-06),  section 6.6.1a.2 「サービングセルの監視（Monitoring of the serving cell）」にアプローチが指定されており、ここで、例えば、図１に示されるように、サービングセル品質におけるある低下（ｄＢ）が測定されるとき、すなわち、ＵＥモビリティが観察されたとき、ＵＥは隣接セル測定をトリガする。図１は、実線の円として示される、サービングセル内で移動する２つの異なる無線デバイスＵＥ１およびＵＥ２を示す概略図である。無線デバイスの移動は、一方向矢印によって示される。セルのエリアは無線デバイスによって測定されるように、サービングセル品質の異なる低下によって特徴付けられる。異なる低下は、同心円によって示される。最初に、２つの無線デバイスはそれらの測定値に従って、最適な（最良の）隣接セルにより近い、セルのエッジに位置する。これは、矢印の始めによって示される位置であり、ＵＥ１は最適な隣接セルに近いサービングセルから移動し、最適な隣接セルを再選択し、一方、ＵＥ２は反対方向にサービングセルのエッジに移動し、その測定は新しい最適な隣接セルを見つけ出し、より良好な信号を提供する。
【００３１】
ＮＢ−ＩｏＴおよびＭＴＣについても、同様のアプローチが提案されている。しかしながら、現在の移動度検出アルゴリズムには、以下の欠点がある。
Strongestserving − Currentserving ＞ DeltaSI
ここで、
Strongestserving：最後のセル（再）選択の後の最強のサービングセル狭帯域基準信  号受信電力（ＮＲＳＲＰ）
Currentserving：現在のサービングセルＮＲＳＲＰ
DeltaSI：システム情報における閾値（ｄＢ）
【００３２】
ＵＥがサービングセルの低下を検出することが可能であり、その理由のために、隣接セルの測定が正当化される。しかしながら、ＵＥがこれらの隣接セル測定を実行するとき、より強い隣接セルは実際に測定されず、すなわち、より良い隣接セルがまだ再選択されていない。ＵＥがこの時点で静止している、すなわち、ＵＥがセル境界に向かって移動しているが、隣接セルが再選択するのにまだ強くないセル境界エリア内で静止している可能性がある。そのような場合、隣接セル測定のためのトリガ条件は満たされたままであるが、ＵＥは再選択するために、より良い隣接セルを測定しない。
【００３３】
本明細書の実施形態は、この問題に対処する。本明細書の実施形態は、最適化された隣接セル測定値を提供することに関するものと理解され得る。要約された概要として、ＵＥがある時間の後に「最強のサービングセルＮＲＳＲＰ」を破棄することができ、それを使用して、ＵＥにおけるモビリティを検出することができ、隣接セル測定をトリガすることができる場合に、今提示された問題を回避することができる。例えば、「最強のサービングセルＮＲＳＲＰ」は、ある時間が経過した後に「現在のサービングセルＮＲＳＲＰ」にリセットすることができる。
Strongestserving ＝ TStrongestSrxlevの後のCurrentserving
【００３４】
しばらく後に最強のサービングセル測定値を破棄することの代替処理は、ＵＥがセル再選択をトリガしなかったＮ個の連続する隣接セル測定値の後に最強のサービングセル測定値を破棄することができることである。
【００３５】
以下、実施例を示す添付図面を参照して、実施形態をより完全に説明する。このセクションでは、本明細書の実施形態を、いくつかの例示的な実施形態によってより詳細に説明する。本明細書の例示的な実施形態は、相互に排他的ではないことに留意されたい。１つの実施形態からの構成要素は別の実施形態に存在すると暗黙に想定されてもよく、当業者にはこれらの構成要素が他の例示的な実施形態でどのように使用されてもよいかが明らかであろう。
【００３６】
３ＧＰＰ  ＬＴＥからの用語が本明細書の実施形態を例示するために本開示で使用されたが、これは本明細書の実施形態の範囲を前述のシステムのみに限定するものと見なされるべきではないことに留意されたい。ＮＲ、Ｗ−ＣＤＭＡ（広帯域符号分割多元接続）、ＷｉＭａｘ（Worldwide Interoperability for Microwave Access）、ＵＭＢ（Ultra-Mobile Broadband）、およびＧＳＭ（登録商標）（Global System for Mobile communications）を含む他の無線システムも、本開示内でカバーされるアイデアを活用することから利益を得ることができる。
【００３７】
図２は、無線通信システム、セルラ無線システム、またはセルラネットワークとも呼ばれることがある無線通信ネットワーク１００の２つの非限定的な例をそれぞれ図２ａおよび図２ｂに示し、ここで本明細書の実施形態が実装され得る。無線通信ネットワーク１００は、典型的にはＮＢ−ＩｏＴネットワークまたはＭＴＣネットワーク、例えば、ｅＭＴＣネットワーク、ＬＴＥ（ロングタームエボリューション）ネットワーク、例えば、ＬＴＥ周波数分割二重（ＦＤＤ）、ＬＴＥ時分割二重（ＴＤＤ）、ＬＴＥ半二重周波数分割二重（ＨＤ−ＦＤＤ）、または、無免許帯域ネットワークで動作するＬＴＥであってもよい。無線通信ネットワーク１００は例えば、５Ｇシステム、５Ｇネットワーク、またはNext Gen Systemまたはネットワーク、Ｗ−ＣＤＭＡ、ＵＴＲＡ（Universal Terrestrial Radio Access）ＴＤＤ、ＧＳＭネットワーク、ＧＳＭ  ＥＤＧＥ無線アクセスネットワーク（ＧＥＲＡＮ）ネットワーク、ＵＭＢ（Ultra-Mobile Broadband)、ＥＤＧＥ（Enhanced Data rates for GSM Evolution）ネットワーク、例えば、ＭＳＲ（Ｍｕｌｔｉ−Standard Radio)基地局、マルチＲＡＴ基地局などの無線アクセス技術（ＲＡＴ）の任意の組み合わせを備えるネットワーク、任意の３ＧＰＰ（第３世代パートナーシッププロジェクト)セルラーネットワーク、ＷｉＦｉネットワーク、ＷｉＭａｘ（Worldwide Interoperability for Microwave Access）、またはあらゆるるセルラネットワークまたはシステムといった他の技術をサポートし得る。したがって、本明細書の実施形態を例示するために、本開示ではＬＴＥからの用語を使用することができるが、これは本明細書の実施形態の範囲を前述のシステムのみに限定するものと見なされるべきではない。無線通信ネットワークはまた、サービングビームを用いて無線デバイスなどの受信ノードにサービスを提供することができるネットワークノードを備える、非セルラシステムとして理解され得る。これは、典型的な場合、例えば、５Ｇネットワークにおける場合であり得る。
【００３８】
無線通信ネットワーク１００は、複数のネットワークノードを備え、そのうちの第１のネットワークノード１１１（本明細書ではサービングネットワークノード１１１とも呼ばれる）、および第２のネットワークノード１１２（本明細書ではネイバーネットワークノード１１２とも呼ばれる）が図２の非限定的な例に示されている。第１のネットワークノード１１１および第２のネットワークノード１１２のそれぞれは、無線ネットワークノードであってもよい。図２ａおよび図２ｂに示される非限定的なシナリオでは、第１のネットワークノード１１１および第２のネットワークノード１１２が異なるノードであってもよい。他の例では、第１のネットワークノード１１１および第２のネットワークノード１１２が同じ場所に配置されてもよく、または同じノードであってもよい。図２に示されていない他の例では、第１のネットワークノード１１１がクラウド内の仮想ノードなどの分散ノードとすることができ、その機能をクラウド上で全体的に、または部分的に、無線ネットワークノードと協働して実行することができる。
【００３９】
第１のネットワークノード１１１および第２のネットワークノード１１２の各々は、ｅＮＢであってもよい。すなわち、無線基地局、例えばｅＮｏｄｅＢ、またはホームノードＢ、ホームｅＮｏｄｅＢ、ｇＮＢ、または無線通信ネットワーク１００内のユーザ装置またはマシンタイプの通信デバイスなどの無線デバイスにサービスを提供することができる任意の他のネットワークノードなどの送信ポイントである。
【００４０】
無線通信ネットワーク１００は、セルエリアに分割され得る地理的エリアをカバーし、各セルエリアはネットワークノードによってサービスされ得るが、１つの無線ネットワークノードは１つまたは複数のセルにサービスし得る。無線通信ネットワーク１００は、本明細書では第１のセル１２１とも呼ばれる少なくとも１つのサービングセル１２１を備え、本明細書では第２のセル１２２とも呼ばれる少なくとも１つの隣接セル１２２を備えることができる。図２に示す非限定的な例では、第１のネットワークノード１１１は第１のセル１２１にサービスを提供し、第２のネットワークノード１１２は第２のセル１２２にサービスを提供する。無線通信ネットワーク１００がセルラシステムと呼ばれないことがある例であっても、第１のネットワークノード１１１および第２のネットワークノード１１２のそれぞれが、サービングビームを用いて無線デバイスなどの受信ノードにサービスすることができる場合、ビームのカバレージのエリアは依然としてセルと呼ばれることがある。第１のネットワークノード１１１および第２のネットワークノード１１２のそれぞれは、送信電力に基づいて、したがってセルサイズにも基づいて、例えば、マクロｅノードＢ、ホームｅノードＢ、またはピコ基地局などの異なるクラスのものとすることができる。第１のネットワークノード１１１および第２のネットワークノード１１２のそれぞれは、１つまたは複数の通信技術をサポートすることができ、その名前は使用される技術および用語に依存することができる。ＬＴＥでは、ｅＮＢと呼ばれることがある第２のネットワークノード１１２および第２のネットワークノード１１２のそれぞれは、図２に示されていない１つまたは複数のコアネットワークに直接接続され得る。
【００４１】
複数の無線デバイスが、無線通信ネットワーク１００内に配置され、無線デバイス１３０が図２の非限定的な例に示されている。無線通信ネットワーク１００に含まれる無線デバイス１３０はＵＥ、または５Ｇ  ＵＥなどの無線通信デバイスとすることができ、無線通信デバイスは例えば、いくつかのさらなる例を言及するだけのために、移動端末、無線端末および／または移動局、移動電話、セルラ電話、または無線能力を有するラップトップとしても知られていることができる。無線デバイス１３０は例えば、ポータブル、ポケット格納可能、ハンドヘルド、コンピュータ構成、または車両搭載モバイルデバイスであってもよく、ＲＡＮを介して、サーバ、ラップトップ、パーソナルデジタルアシスタント（ＰＤＡ）、または無線能力を有するタブレットと呼ばれることもあるタブレットコンピュータ、マシン・ツー・マシン（Ｍ２Ｍ）デバイス、プリンタまたはファイル記憶装置などの無線インターフェースを装備したデバイス、モデム、あるいは通信システム内の無線リンクを介して通信することができる任意の他の無線ネットワークユニットなど、別のエンティティと音声および／またはデータを通信することが可能である。無線デバイス１３０は、無線通信ネットワーク１００において無線で通信することが可能である。通信は例えば、ＲＡＮ、および、場合によっては、無線通信ネットワーク１００内に含まれ得る１つまたは複数のコアネットワークを介して実行され得る。
【００４２】
無線デバイス１３０は、無線通信ネットワーク１００内で、第１のリンク１４１、例えば、無線リンクを介して第１のネットワークノード１１１と通信するように構成され得る。無線デバイス１３０は、無線通信ネットワーク１００内で、第２のリンク１４２、例えば、無線リンクを介して第２のネットワークノード１１２と通信するように構成され得る。
【００４３】
いくつかの実施形態では、無線通信ネットワーク１００は、図２ｂの例に示されるホストコンピュータ１５０に接続されてもよい。ホストコンピュータ１５０は、スタンドアロンサーバ、クラウド実装サーバ、分散サーバのハードウェアおよび／またはソフトウェアで、またはサーバファーム内の処理リソースとして実施することができる。ホストコンピュータ１５０は、サービスプロバイダの所有権または制御下にあってもよく、またはサービスプロバイダによって、またはサービスプロバイダの代わりに運用されてもよい。ホストコンピュータ１５０は、第３のリンク１６０を介して無線デバイス１３０と通信することができる。第３のリンク１６０は、１つまたは複数の有線および無線リンクを備えることができ、例えば、クラウド１７０、第１のネットワークノード１１１、第２のネットワークノード１１２、および無線通信ネットワーク１００内の他の無線ネットワークノードまたはコアネットワークノードを介して延在することができる。いくつかの例では、第３のリンク１６０は、図を簡略化するために図２には示されていない任意選択の中間ネットワークを介して延在することができる。中間ネットワークは、公衆ネットワーク、プライベートネットワーク、またはホストネットワークのうちの１つ、または２つ以上の組み合わせとすることができ、中間ネットワークは、バックボーンネットワークまたはインターネットとすることができる。第３のリンク１６０によって提供される接続性は、オーバーザトップ（ＯＴＴ）接続と呼ばれることがある。
【００４４】
ホストコンピュータ１５０と、第１のネットワークノード１１１および無線デバイス１３０のうちの少なくとも１つとを備えるシステムは、本明細書では電気通信システム１８０と呼ぶことができる。任意選択で、電気通信システム１８０は、第２のネットワークノード１１２をさらに備えることができる。
【００４５】
一般に、本明細書における「第１の」、「第２の」、「第３の」、および／または「第４の」の使用は、異なる要素またはエンティティを示す任意の方法であると理解されてもよく、それらが修正する名詞に累積的または時系列的な文字を付与しないと理解されてもよい。
【００４６】
より具体的には、以下がａ）無線デバイス１３０、例えば、ＵＥといった無線デバイスに関連する実施形態と、ｂ）通信システム１８０といった通信システムに関連する実施形態とである。
【００４７】
無線デバイス１３０によって実施される方法の実施形態は、図３に示されるフローチャートを参照して説明される。当該方法は、セル選択および／またはセル再選択を処理するためのものである。無線デバイス１３０は、第１のセル１２１及び第２のセル１２２を有する無線通信ネットワーク１００において動作する。第１のセル１２１はサービングセル１２１であってもよく、第２のセル１２２は隣接セル１２２であってもよい。
【００４８】
「無線通信ネットワーク１００で動作している」という表現は例えば、無線通信ネットワーク１００と関連して、または介して、動作している、と理解することができる。いくつかの実施形態において、無線通信ネットワーク１００は、少なくとも１つのＮＢ−ＩｏＴおよびｅＭＴＣ上で動作することがある。
【００４９】
いくつかの実施形態では、すべてのアクションを実行することができる。いくつかの実施形態では、アクションは任意であってもよい。本明細書の実施例は、相互に排他的ではないことに留意されたい。いくつかの実施形態が本明細書に含まれる。１つの実施形態からの構成要素は別の実施形態に存在すると暗黙に想定されてもよく、当業者にはこれらの構成要素が他の例示的な実施形態でどのように使用されてもよいかが明らかであろう。適用可能であれば、１つ以上の実施形態を組み合わせてもよい。全ての可能な組み合わせは、説明を簡略化するために記載されていない。図３では、任意選択の動作が破線で示されている。いくつかのアクションは、図３に示されるものとは異なる順序で実行されてもよい。
【００５０】
［アクション３０１］
無線通信ネットワーク１００における動作の過程の間、無線デバイス１３０は、第１のセル１２１、例えば、第１のサービングセル１２１からの１つまたは複数の信号、例えば、第１の信号を監視して、それらの１つまたは複数の信号の強度または品質が無線デバイス１３０にサービスを提供するのに良好であるかどうか、または他のセル、例えば、第２のセル１２２を探し、より良好なサービスを提供することができる異なるセル、すなわち、より高い強度またはより良好な品質を有する信号に移動することが適切である可能性があるか否かを決定することができる。この監視を実行するために典型的に使用される信号は、狭帯域基準信号（ＮＲＳ）およびセル固有基準信号（ＣＲＳ）などの基準信号であってもよい。
【００５１】
他のセルを監視することは、処理リソース、時間リソース、および無線リソースの使用を伴うと理解され得る。先に説明したように、無線デバイス１３０は静止しており、深部カバレッジにあり得るＮＢ−ＩｏＴデバイスであり得る。このような場合、例えば、無線デバイス１３０により良好なカバレッジを提供することが可能であり得る任意の適切な隣接セルが存在し得ることは、ありそうにないことが理解され得る。したがって、本明細書の実施形態によれば、処理リソース、時間リソース、および／または無線リソースの不必要な使用を防止するために、無線デバイス１３０は、他のセルの監視を開始する前に、そうすることがそれに値するかどうかをチェックすることができる。無線デバイス１３０は、無線デバイス１３０が静止している可能性があり、したがって、他のセルを監視する価値がない可能性があるという１つまたは複数のインジケータをチェックすることによって、これを行うことができる。
【００５２】
本明細書の方法は、無線デバイス１３０が第１のセル１２１、例えば、サービングセル１２１からの第１の信号の第１の測定値の結果が、第１の測定値が第１の閾値未満であることを決定したことがあるという状況であると理解され得る。すなわち、無線デバイス１３０は、そのサービングセル１２１によって提供される信号の強度または品質がある値未満に低下した、例えば、第１のセル１２１からの第１の信号の品質または強度にある程度の低下があったと判断した後に、本明細書のアクションのいずれかを実行することができる。そうでない場合、無線デバイス１３０は、第２のセル１２２、例えば、隣接セル１２２からの第２の信号を測定することを控えることができる。
【００５３】
このアクション３０１において、第１のセル１２１、例えば、サービングセル１２１からの第１の信号の第１の測定値の結果が、第１の閾値未満であることを決定した無線デバイス１３０は、ｉ）無線デバイス１３０が最後に実行したセル選択または再選択からの時間の長さが第２の閾値を超えていること、およびｉｉ）隣接セル測定がセル再選択をトリガすることに失敗した回数（セル再選択をトリガすることに失敗した隣接セル測定の回数）が第３の閾値を超えていることのうちの少なくとも１つを決定する。すなわち、無線デバイス１３０は、ｉ）無線デバイス１３０が異なるセルを選択してから長い時間が経過したかどうか、および／または、ｉｉ）より良好なセルを見つけようとしているにもかかわらず、ある回数の試みの後に１つを見つけることができなかったかどうかをチェックすることができる。条件ｉ）およびｉｉ）は、無線デバイス１３０が静止していてもよいことを示すものとして理解されてもよい。したがって、一方または両方が満たされる場合、無線デバイス１３０は静止している可能性があり、無線デバイス１３０を移動させることなく、カバレージが変化した可能性が低いので、他のセルを監視しようと試みる価値がない可能性がある。
【００５４】
決定することは、例えば、計算することとして理解され得る。いくつかの例では、決定することは無線通信ネットワーク１００内の別のノードから、例えば、第１のネットワークノード１１１から受信することを備えることができる。
【００５５】
測定および信号は上述されている。本明細書における閾値は例えば、無線通信ネットワーク１００のオペレータによって設定（構成）され得る値として理解され得る。
【００５６】
第１の測定値は例えば、第１のセル１２１における第１の信号の現在の測定値、例えば、サービングセル１２１の現在の測定値であってもよい。3GPP TS 45.008, V14.1.0 (2017-06), section 6.6.1a.2 「サービスセルのモニタリング（Monitoring of the serving cell）」、または、3GPP TS 36.304 V13.1.0 (2016-03), sections 5.2.4.2a および 5.2.4.12の用語に従い、 第１の測定の特定の非限定的な例はSrxlevであってもよく、第１の閾値の例はSSearchPであってもよい。Srxlevは、Currentservingを参照する別の方法であると理解することができる。したがって、第１のセル１２１からの第１の信号の第１の測定の結果は、第１の測定値が第１の閾値を下回ることであると判断することが、例えば、サービングセル１２１がCurrentserving ＜ SSearchPを満たすことであり得る。第２のセル１２１がCurrentserving ＞ SSearchPを満たす場合、無線デバイス１３０は周波数内測定を実行しないことを選択することができ、無線デバイス１３０は、周波数間測定を実行しないことを選択することができる。
【００５７】
セル選択を実行したことは、本明細書ではあるセルが無線デバイス１３０に無線サービスを提供するのに十分良好であると決定したこととして理解され得る。セル再選択を実行したことは、本明細書ではあるセルが無線デバイス１３０の周囲の任意の他のセルよりも良好なサービスを提供することができると決定されるものとして理解され得る。アイドルモードから接続モードへの遷移を行うと、無線デバイス１３０は無線接続を開始するために、その最も最近に選択されたセルを使用することができる。
【００５８】
第２の閾値は時間閾値、すなわち、ある期間を指すものと理解することができる。３GPP TS ４５．００８、Ｖ１４．１.０（２０１７−０６）、セクション６．６.１ａ.２「サービスセルのモニタリング」の用語に従うと、第２の閾値の特定の非限定的例はTStrongestSrxlevであり得る。
【００５９】
いくつかの実施形態では、隣接セル測定値が第２のセル１２２からの第２の信号の測定値を含むことができる。
【００６０】
セル再選択をトリガすることに失敗することは、セル再選択を実行するために満たされる必要があり得る少なくとも１つの基準が満たされないこととして理解され得る。
【００６１】
第３の閾値は、構成可能な値であると理解されてもよい。
【００６２】
ここで、値と閾値との間で比較が行われる場合、閾値より上または下にある値に対する２つの基準のいずれも、閾値に等しいことを含むと決定され得ることが理解される。この決定は任意に設定することができる。すなわち、本明細書では例えば、ある値が閾値を上回る場合に、ある結果Ｘをもたらし、その値が閾値以下である場合に、結果Ｙをもたらすことを述べることはある値が閾値以上である場合に、ある結果Ｘをもたらし、その値が閾値未満である場合に、結果Ｙをもたらすように、本方法を実行することと同等である。
【００６３】
このアクション２０１において決定を実行することによって、無線デバイス１３０は他のセル、例えば、第２のセル１２２の監視を開始する価値があるか否かを決定することができ、したがって、不必要な測定を実行するためにリソースを浪費することを回避することができる。
【００６４】
［アクション３０２］
典型的には、他のセルの測定が例えば、第１の信号の品質または強度が第１の閾値を下回るという条件が満たされることによってトリガされてもよい。無線デバイス１３０が静止している可能性があり、したがって、より良好なセルを見つけようと試みる価値がない可能性があると判断した場合、無線デバイス１３０は、第２のセル１２２などの他のセルの監視を開始するトリガが満たされることを回避することが有益であり得る。これは、無線デバイス１３０がトリガにつながり得る状態を破棄することによって達成され得る。したがって、このアクション３０２では、無線デバイス１３０が無線デバイス１３０によって最後のセル選択または再選択の後に測定された第１の信号の最強の信号値を、無線デバイス１３０が最後に実行したセル選択または再選択からの時間の長さが第２の閾値を上回っていること、および隣接セル測定がセル再選択をトリガすることに失敗した回数が第３の閾値を上回っていることのうちの少なくとも１つの決定の第１の結果に基づいて、より低い値にリセットする。
【００６５】
無線デバイス１３０による最後のセル選択または再選択の後に測定された、第１の信号の最強の信号値は第１の値として理解され得、より低い値は第２の値として理解され得、ここで、第２の値はある量、例えば、構成可能な量だけ、第１の値より低い。信号値が最も強いことは、例えば、信号値が最高の絶対信号強度または電力、または最高の絶対信号品質、すなわち、最高の信号対雑音比に対応することとして理解することができる。
【００６６】
無線デバイス１３０による最後のセル選択または再選択の後に測定された、第１の信号の最強の信号値をリセットすることは、第１の値を破棄し、その代わりに新しい値、第２の値を設定することとして理解され得る。したがって、リセットは新しい値を設定すること、または、例えば、異なる値に再び設定することとして理解されてもよい。いくつかの特定の例では、より低い値が第１のセル１２１からの第１の信号の現在の測定値であってもよい。「現在の」測定値は、サービング基地局、すなわち第１のネットワークノード１１１から送信された狭帯域基準信号に対して実行された、例えばＲＳＲＰなどの信号電力の最新の測定値として理解され得る。
【００６７】
3GPP TS 45.008, V14.1.0 (2017-06), section 6.6.1a.2 「サービスセルのモニタリング（Monitoring of the serving cell）」、または、3GPP TS 36.304 V13.1.0 (2016-03), sections 5.2.4.2a および 5.2.4.12の用語に従い、 無線デバイス１３０による最後のセル選択および／または再選択の後に測定される、第１の信号の最強の信号値の特定の非限定的な例は、Strongestservingであり得る。Strongestservingは、本明細書ではSrxlevStrongestとも呼ばれる。すなわち、セル再選択またはセル選択のいずれか最後の後の最強のＲＸレベル値である。3GPP TS 45.008, V14.1.0 (2017-06), section 6.6.1a.2 「サービングセルの監視（Monitoring of the serving cell）」の用語に従って、より低い値の特定の非限定的な例はCurrentservingでありうる。すなわち、第１のセル１２１からの第１の信号の現在の測定値はCurrentservingであり得る。
【００６８】
一部の例では、無線デバイス１３０がセル選択および／または再選択を最後に実行してからの時間の長さが第２の閾値を超えたと決定する（３０１）とき、その後、および／またはそれに基づいて、リセットアクション３０２を実行することができる。すなわち、第１の結果は無線デバイス１３０が最後にセル選択および／または再選択を実行してからの時間の長さが、第２の閾値を超えることであり得る。それ以外の場合、無線デバイス１３０は、最後のセル選択または再選択の後に測定された第１の信号の最強の信号値を、より低い値にリセットすることを控えることができる。
【００６９】
この具体例は、無線デバイス１３０がTStrongestSrxlev時間のためにセル再選択を行っていない場合、無線デバイス１３０が現在の受信信号（ＲＸ）レベル値、例えば、CurrentservingをStrongestservingに設定することができることであり得る。
【００７０】
いくつかの例では、無線デバイス１３０は、隣接セル測定がセル再選択をトリガすることに失敗した回数が第３の閾値を上回ったと決定する（３０１）とき、それに基づいて、その後、および／またはそれに基づいて、リセットアクション３０２を実行し得る。すなわち、第１の結果は、隣接セル測定がセル再選択をトリガすることに失敗した回数が第３の閾値を上回ることであり得る。それ以外の場合、無線デバイス１３０は、最後のセル選択または再選択の後に測定された第１の信号の最強の信号値をより低い値にリセットすることを控えることができる。
【００７１】
無線デバイス１３０による最後のセル選択または再選択の後に測定された第１の信号の最強の信号値をより低い値にリセットすることによって、無線デバイス１３０は、例えば、セル境界において静止しているＵＥであるとき、しばらく後に、より良好な隣接セルを見つけることを期待して、隣接測定を実行し続けることを控えることができ、したがって、電力ならびに無線リソースおよび処理リソースを節約することができる。
【００７２】
［アクション３０３］
最強の信号値をリセットした後、無線デバイス１３０は例えば、ある期間の後に、第２のセル１２２のような他のセルの監視をトリガすることができる第１のセル１２１の品質の新たな低下があったかどうかを再びチェックすることを決定することができる。このアクション３０３では、無線デバイス１３０が、ａ）無線デバイス１３０による最後のセル選択または再選択の後に測定された第１の信号のリセット最強信号値と、ｂ）第１のセル１２１からの第１の信号の現在の測定値との間の差が第４の閾値を上回るか否かに基づいて、第２のセル１２２からの第２の信号を測定するか否かを決定する。すなわち、無線デバイス１３０はａ）無線デバイス１３０による最後のセル選択または再選択の後に測定された第１の信号のリセット最強信号値と、ｂ）第１のセル１２１からの第１の信号の現在の測定値との間の差が第４の閾値を上回るが、そうでない場合には上回らない場合にのみ、第２のセル１２２からの第２の信号を測定することを決定し得る。言い換えれば、無線デバイス１３０は第１の信号の品質に十分に大きな低下がある場合にのみ、第２のセル１２２からの第２の信号を測定することを決定し得る。
【００７３】
第２の信号は、第２の信号が第２のセル１２２内の第２のネットワークノード１１２によって送信されるのと同じ信号、例えば、狭帯域基準信号（ＮＲＳ）、セル固有基準信号（ＣＲＳ）などと同等であると理解され得る。
【００７４】
3GPP TS 45.008, V14.1.0 (2017-06), section 6.6.1a.2 「サービングセルの監視（Monitoring of the serving cell）」の用語に従って、サービングセル１２１からの第１の信号の現在の測定値の特定の非限定的な例は、Currentservingであってもよく、第４の閾値はDeltaSIであってもよい。したがって、アクション３０３の特定の例は、無線デバイス１３０が、Strongestserving − Currentserving ＞DeltaSIであるかどうかを決定することができることであり得る。
【００７５】
無線デバイス１３０がこのアクション３０３において決定を実行することによって、無線デバイス１３０は第２のセル１２２などの他のセルの測定の開始をトリガするために、アクション３０２におけるリセット条件が満たされているかどうかをチェックすることができる。
【００７６】
［アクション３０４］
このアクション３０４において、無線デバイス１３０は次に、アクション３０３において実行されるように、測定すべきかどうかの決定の第２の結果に基づいて、第２の信号の測定、例えば、測定を開始することができる。すなわち、無線デバイス１３０は、決定の第２の結果が無線デバイス１３０が第２の信号を測定すべきであることである場合にのみ、測定を開始することができる。そうでない場合、無線デバイス１３０は、第２の信号の測定を開始することを控えることができる。
【００７７】
測定を開始することは、測定をトリガすること、測定を開始すること、または測定を実行することと理解され得る。
【００７８】
いくつかの実施形態では、無線デバイス１３０がアクション３０４において第２の信号を測定した結果に基づいて、測定報告を第１のネットワークノード１１１にさらに送信することができる。
【００７９】
このアクション２０１で測定すべきか否かの決定の結果に基づいて第２の信号を測定することによって、無線デバイス１３０は、他のセル、例えば第２のセル１２２の監視を開始する価値がある場合に、第２の信号の測定の実行を開始することのみを可能にされる。したがって、無線デバイス１３０は、より良好なカバレッジを提供するセルを見つける確率が非常に低い場合、不必要な測定を実行するリソースを浪費することを回避することが可能になる。
【００８０】
図３に関連して、および対応して図７に関連して上述されたアクションは、別のセル選択／セル再選択の後に毎回繰り返され得ることが理解され得る。
【００８１】
本明細書の方法は、無線デバイス１３０が上位レイヤによる緩和（relaxed）監視を用いて構成され得るときに実行され得る。
【００８２】
ここで、いくつかの非限定的な例を用いて、本明細書の実施形態を説明する。以下の説明ではＵＥへの任意の言及が無線デバイス１３０に関連すると理解されてもよく、ネットワークノードへの任意の言及は第１のネットワークノード１１１に関連すると理解されてもよい。
【００８３】
ＵＥがいつ移動しているか、およびＵＥがいつ静止しているかを動的に検出するために、ＵＥは、以下の規則を適用することができる。
【００８４】
ＵＥが上位レイヤによる緩和監視を用いて構成される場合、必要な測定を制限するために、以下の規則が、ＵＥによって使用され得る:
‐サービングセル１２１がCurrentserving ＞ SSearchPを満たす場合、ＵＥは周波数内測定を実施しないことを選択することができ、ＵＥは周波数間測定を実施しないことを選択することができる。
‐それ以外の場合、
‐アクション３０３で決定されるように、 Strongestserving − Currentserving ＞DeltaSIである場合、またはアクション３０１で決定されるように、ＵＥは、TMinNeighbourMeasure 時間に対する隣接セル測定を実行していない。 
ＵＥはアクション３０４において、アクション３０３において決定されるように、周波数内測定を実行することができ、例えば、ＵＥは、周波数内測定を実行することを要求されることができる。
‐サブ条項（sub-clause）５．２.４．６で定義されたセルの再選択がトリガされない場合、ＵＥはシステム情報で示される可能性があるＮＢ−ＩｏＴの周波数間の測定を行うことができる。例えば、ＵＥはＮＢ−ＩｏＴの周波数間に対する周波数間測定を行うことを要求される可能性がある。
ここで、
‐セルの再選択後またはセル選択後のいずれか最後の時点で、SrxlevStrongest = 最強のＲＸレベル値にする。
【００８５】
ＵＥがTStrongestSrxlev時間に対してセル再選択を行っていない場合、ＵＥは現在のＲＸレベル値（Currentserving）をStrongestservingに設定することがある。
【００８６】
本明細書の実施形態の１つの利点は例えば、セル境界における静止ＵＥが、しばらくして、より良い隣接セルを見つけることを期待して、隣接測定を実行し続けず、したがって、電力、無線リソース、および処理リソースを節約することである。
【００８７】
図４は、図３に関連して上述された方法のアクションを実行するために無線デバイス１３０が備えることができる構成のパネルａ）およびｂ）における２つの異なる例をそれぞれ示している。いくつかの実施形態では、無線デバイス１３０は、図４ａに示された以下の構成のうちのいずれかを備えることができる。無線デバイス１３０は、セル選択および／または再選択を処理するように構成される。無線デバイス１３０は、無線通信ネットワーク１００において動作するようにさらに構成される。無線通信ネットワーク１００は、第１のセル１２１と第２のセル１２２とを有するように構成されている。いくつかの実施形態では、第１のセル１２１がサービングセル１２１であるように構成されてもよく、第２のセル１２２は隣接セル１２２であるように構成されてもよい。
【００８８】
図４では、オプションのモジュールが破線のボックスで示されている。
【００８９】
いくつかの実施形態が本明細書に含まれる。１つの実施形態からの構成要素は別の実施形態に存在すると暗黙に想定されてもよく、当業者にはこれらの構成要素が他の例示的な実施形態でどのように使用されてもよいかが明らかであろう。以下のいくつかの詳細な説明は無線デバイス１３０について説明された動作に関連して、上記で提供された同じ参照に対応し、したがって、ここでは繰り返されない。例えば、無線通信ネットワーク１００は、ＮＢ−ＩｏＴ及びｅＭＴＣの少なくとも１つの状態で動作することがある。
【００９０】
無線デバイス１３０は、第１のセル１２１からの第１の信号の第１の測定値の結果が、第１の測定値が第１の閾値未満であることを決定した決定アクション３０１を実行するようにさらに構成され、これは例えば、ｉ）無線デバイス１３０が最後に実行したセル選択または再選択からの時間の長さが第２の閾値を上回ること、およびｉｉ）隣接セル測定がセル再選択をトリガすることに失敗した回数が第３の閾値を上回ることのうちの少なくとも１つを決定するように構成された、無線デバイス１３０内の決定モジュール４０１の手段による。決定モジュール４０１は、無線デバイス１３０のプロセッサ４０６、またはそのようなプロセッサ上で実行されるアプリケーションとすることができる。
【００９１】
無線デバイス１３０は、例えば、無線デバイス１３０による最後のセル選択または再選択の後に測定された第１の信号の最強の信号値を、時間の長さおよび回数のうちの少なくとも１つの決定の第１の結果に基づいて、より低い値にリセットするように構成された無線デバイス１３０内のリセットモジュール４０２の手段によって、リセット３０２アクションを実行するようにさらに構成される。リセット部４０２は、無線デバイス１３０のプロセッサ４０６、またはそのようなプロセッサ上で実行されるアプリケーションとすることができる。
【００９２】
いくつかの実施形態では、より低い値が第１のセル１２１からの第１の信号の現在の測定値であってもよい。
【００９３】
無線デバイス１３０は、ａ）リセットされるように構成された、無線デバイス１３０による最後のセル選択または再選択の後に測定された第１の信号の最強の信号値と、ｂ）第１のセル１２１からの第１の信号の現在の測定値との間の差異が第４の閾値を上回るかどうかに基づいて、第２のセル１２２からの第２の信号を測定するか否かを決定するように構成された、例えば、無線デバイス１３０内の決定モジュール４０１の手段によって、決定動作３０３を実行するようにさらに構成される。
【００９４】
無線デバイス１３０は例えば、測定するか否かの決定の第２の結果に基づいて、第２の信号を測定することを開始するように構成された無線デバイス１３０内の開始モジュール４０３の手段によって、開始測定アクション３０４を実行するようにさらに構成される。開始モジュール４０３は、無線デバイス１３０のプロセッサ４０６、またはそのようなプロセッサ上で実行されるアプリケーションとすることができる。
【００９５】
いくつかの実施形態において、ｉ.第１の信号の第１の測定値は、Srxlevであるように構成され得る、ｉｉ.第１の閾値は、SSearchPであるように構成され得る、ｉｉｉ.無線デバイス１３０による最後のセル選択または再選択後に測定された第１の信号の最強の信号値は、Strongestservingであるように構成され得る、iv.第１のセル１２１からの第１の信号の現在の測定値は、Currentservingであるように構成され得る、ｖ.第２の閾値は、TStrongestSrxlevであるように構成され得る、ｖｉ.第４の閾値は、DeltaSIであるように構成され得る。
【００９６】
他のモジュール４０４は、無線デバイス１３０に含まれ得る。
【００９７】
他の実施形態では、図７に関連して後述するように、無線デバイス１３０はクライアントアプリケーション１２１４を備えることができ、クライアントアプリケーション１２１４は例えば、第３のリンク１６０を介して、ホストコンピュータ１５０内のホストアプリケーション１１０８とユーザデータを通信するように構成することができる。
【００９８】
無線デバイス１３０はまた、クライアントアプリケーションモジュール５０５を備え、それが、ホストコンピュータ１５０のホストアプリケーションモジュール１５０１と、例えば、第３のリンク１６０を介して、ユーザデータを通信するように構成されてもよい。
【００９９】
無線デバイス１３０における本明細書の実施形態は、本明細書の実施形態の機能およびアクションを実行するためのコンピュータプログラムコードとともに、図４ａに示される無線デバイス１３０におけるプロセッサ４０６などの１つまたは複数のプロセッサを介して実装され得る。本明細書で使用されるプロセッサは、ハードウェア構成要素であると理解され得る。上述のプログラムコードは例えば、無線デバイス１３０にロードされたときに本明細書の実施形態を実行するためのコンピュータプログラムコードを搬送するデータキャリアの形態で、コンピュータプログラム製品として提供されてもよい。そのようなキャリアの１つは、ＣＤ  ＲＯＭディスクの形成であってもよい。しかしながら、メモリスティックのような他のデータキャリアで実現可能である。コンピュータプログラムコードはさらに、純粋なプログラムコードとしてサーバ上に提供され、無線デバイス１３０にダウンロードされてもよい。
【０１００】
無線デバイス１３０は、１つまたは複数のメモリユニットを備えるメモリ４０７をさらに備えることができる。メモリ４０７は取得された情報を記憶し、データ、設定（構成）、スケジューリング、およびアプリケーションなどを記憶して、無線デバイス１３０において実行されるときに本明細書の方法を実行するために使用されるように構成される。
【０１０１】
いくつかの実施形態では、無線デバイス１３０が受信ポート４０８を介して、例えば、第１のネットワークノード１１１、第２のネットワークノード１１２、およびホストコンピュータ１５０のいずれかから情報を受信することができる。いくつかの実施形態では、受信ポート４０８は、例えば、無線デバイス１３０内の１つまたは複数のアンテナに接続され得る。他の実施形態では、無線デバイス１３０が受信ポート４０８を介して無線通信ネットワーク１００内の別の構造から情報を受信することができる。受信ポート４０８は、プロセッサ４０６と通信しているので、受信ポート４０８は受信した情報をプロセッサ４０６に送ることができる。受信ポート４０８はまた、他の情報を受信するように構成されてもよい。
【０１０２】
無線デバイス１３０におけるプロセッサ４０６はさらに、プロセッサ４０６およびメモリ４０７と通信することができる送信ポート４０９を介して、例えば、第１のネットワークノード１１１、第２のネットワークノード１１２、およびホストコンピュータ１５０のいずれか、または無線通信ネットワーク１００内の別の構造に情報を送信するように構成することができる。
【０１０３】
当業者はまた、決定モジュール４０１、リセットモジュール４０２、開始または測定モジュール４０３、他のモジュール４０４、および上述のクライアントアプリケーションモジュール４０５が、アナログおよびデジタル部の組み合わせ、および／または例えばメモリに記憶されたソフトウェアおよび／またはファームウェアで構成され、プロセッサ４０６などの１つまたは複数のプロセッサによって実行されるときに上述のように実行する１つまたは複数のプロセッサを参照することができることを理解するのであろう。これらのプロセッサのうちの１つまたは複数、ならびに他のデジタルハードウェアは単一の特定用途向け集積回路（ＡＳＩＣ）に含めることができ、または、個々にパッケージされているか、システムオンチップ（ＳｏＣ）に組み立てられているかにかかわらず、いくつかのプロセッサおよび各種デジタルハードウェアをいくつかの別個の構成要素の間で分散させることができる。
【０１０４】
また、いくつかの実施形態では、上述の異なるモジュール４０１〜４０５がプロセッサ４０６などの１つまたは複数のプロセッサ上で実行される１つまたは複数のアプリケーションとして実装され得る。
【０１０５】
したがって、無線デバイス１３０について本明細書で説明される実施形態による方法はそれぞれ、少なくとも１つのプロセッサ４０６上で実行されるときに、無線デバイス１３０によって実行されるように、少なくとも１つのプロセッサ４０６に本明細書で説明されるアクションを実行させる命令、すなわちソフトウェアコード部分を備えるコンピュータプログラム４１０プロダクトの手段によって実装され得る。コンピュータプログラム４１０製品は、コンピュータ可読記憶媒体４１１に記憶されてもよい。コンピュータプログラム４１０を記憶したコンピュータ可読記憶媒体４１１は、少なくとも１つのプロセッサ４０６上で実行されると、無線デバイス１３０によって実行されるように、少なくとも１つのプロセッサ４０６に本明細書で説明されるアクションを実行させる命令を含むことができる。いくつかの実施形態では、コンピュータ可読記憶媒体４１１は、ＣＤ  ＲＯＭディスク、またはメモリスティックなどの非一時的なコンピュータ可読記憶媒体とすることができる。他の実施形態では、コンピュータプログラム４１０製品が上述したコンピュータプログラム４１０を含むキャリアに格納されてもよく、キャリアは上述したように、電子信号、光信号、無線信号、またはコンピュータ可読記憶媒体４１１のうちの１つである。
【０１０６】
無線デバイス１３０は、無線デバイス１３０と、他のノードまたはデバイス、例えば、第１のネットワークノード１１１、第２のネットワークノード１１２、およびホストコンピュータ１５０のいずれか、または任意の他のノードまたはデバイスとの間の通信を可能にするように構成されたインターフェース部または通信インターフェースを備えることができる。いくつかの特定の例では、インターフェースが、例えば、適切な規格に従ってエアインターフェースを介して無線信号を送信および受信するように構成されたトランシーバ（送受信器）を含むことができる。
【０１０７】
他の実施形態では、無線デバイス１３０は、図４ｂに示される以下の構成を備えることができる。無線デバイス１３０は、無線デバイス１３０およびメモリ４０７内に、処理回路４１２、例えば、プロセッサ４０６などの１つまたは複数のプロセッサを備えることができる。無線デバイス１３０はまた、例えば、受信ポート４０８および送信ポート４０９を備えることができる無線回路４１３を備えることができる。処理回路４１３は、図４ａに関連して説明したのと同様の方法で、図３による方法アクションを実行するように構成されてもよく、または実行するように動作可能であってもよい。無線回路４１３は、第１のネットワークノード１１１、第２のネットワークノード１１２、およびホストコンピュータ１５０のいずれかとの少なくとも１つの無線接続をセットアップし、維持するように構成することができる。回路は、本明細書ではハードウェア構成要素として理解することができる。
【０１０８】
したがって、本明細書の実施形態は無線デバイス１３０によるセル選択および／または再選択を処理するように動作可能な無線デバイス１３０にも関し、無線デバイス１３０は、無線通信ネットワーク１００内で動作するように動作可能である。無線デバイス１３０は、処理回路４１２およびメモリ４０７を備えることができ、当該メモリ４０７は、処理回路４１２によって実行可能な命令を含み、それによって、無線デバイス１３０は例えば、図３において、無線デバイス１３０に関して本明細書で説明されるアクションを実行するようにさらに動作可能である。
【０１０９】
他の関連する例では、以下で説明する方法の１つまたは複数のアクションを実行することができる。
【０１１０】
［関連例］
第１の関連する例は、セル選択および／または再選択を処理するために、無線デバイス（１３０）によって実行される方法であり、無線デバイス（１３０）はサービングセル（１２１）および隣接セル（１２２）を有し、無線デバイス（１３０）は、無線通信ネットワーク（１００）において動作し、当該方法は、
‐以下のうちの少なくとも１つを決定すること（３０１）、
ｉ．無線デバイス（１３０）が最後に実行したセル選択および／または再選択が第２の閾値を超えること、および
ｉｉ．隣接セル測定がセル再選択をトリガすることに失敗した回数が第３の閾値を超えること、
‐無線デバイス（１３０）による最後のセル選択および／または再選択の後に測定された、サービングセル（１２１）からの第１の信号の最強の信号値を、時間の長さおよび回数の少なくとも一方の決定の第１の結果に基づいて、より低い値にリセットすること（３０２）、
‐ａ）無線デバイス（１３０）による最後のセル選択および／または再選択の後に測定された第１の信号のリセットされた最強の信号値と、（ｂ）サービングセル（１２１）からの第１の信号の現在の測定との間の差異に基づいて、隣接セル（１２２）からの第２の信号を測定するか否かを決定すること（３０３）、 
‐測定するか否かの決定の第２の結果に基づいて、第２の信号を測定することを開始すること（３０３）、を含む。
【０１１１】
第２の関連する例は、関連する例１による方法であり、当該方法は方法を開始する前に、第１の信号の第１の測定値の結果が、第１の測定値が第１の閾値未満であることを決定することをさらに含む。
【０１１２】
第３の関連する例は、関連する例１〜２のいずれかによる方法であり、より低い値は、サービングセル（１２１）からの第１の信号の現在の測定値である。
【０１１３】
第４の関連する例は、関連する例１〜３のいずれかによる方法であり、ｉ）第１の信号の第１の測定がSrxlevであり、ｉｉ）第１の閾値がSSearchPであり、ｉｉｉ）無線デバイス（１３０）による最後のセル選択および/または再選択の後に測定された第１の信号の最強の信号値がStrongestservingであり、ｉｖ）サービングセル（１２１）からの第１の信号の現在の測定値がCurrentservingであり、ｖ）第２の閾値がTStrongestSrxlevであり、ｖｉ）第４の閾値がDeltaSIである。
【０１１４】
［さらなる拡張および変形］
ここで、通信システム１８０によって実行される方法の実施形態を、図５に示されたフローチャートを参照して説明する。当該方法は、セル選択および／またはセル再選択を扱うためのものである。通信システム１８０は、無線デバイス１３０およびホストコンピュータ１５０を含むことができる。通信システム１８０はまた、第１のネットワークノード１１１および／または第２のネットワークノード１１２を含むことができる。無線通信ネットワーク１００は、第１のセル１２１と第２のセル１２２とを有する。第１のセル１２１はサービングセル１２１であってもよく、第２のセル１２２は隣接セル１２２であってもよい。
【０１１５】
以下のいくつかの詳細な説明は無線デバイス１３０について説明された動作に関連して、上記で提供された同じ参照に対応し、したがって、ここでは繰り返されない。例えば、無線通信ネットワーク１００は、ＮＢ−ＩｏＴ及びｅＭＴＣの少なくとも１つの状態で動作することがある。
【０１１６】
通信システム１８０によって実行される方法は、以下のアクションのうちの１つまたは複数を含み得る。いくつかの実施形態では、すべてのアクションが実行され得る。いくつかの実施形態では、１つまたは複数のアクションが実行され得る。本明細書の例は、相互に排他的ではなく、いくつかの実施形態が本明細書に含まれることに留意されたい。１つの実施形態からの構成要素は、別の実施形態に存在すると暗黙に想定されてもよく、当業者にはこれらの構成要素が他の例示的な実施形態でどのように使用されてもよいかが明らかであろう。適用可能であれば、１つ以上の実施形態を組み合わせてもよい。全ての可能な組み合わせは、説明を簡略化するために記載されていない。いくつかのアクションは、図５に示されるものとは異なる順序で実行されてもよい。例えば、通信は送信の任意の受信であってもよいので、アクションは図５に示されるものとは逆の順序で実行されてもよい。
【０１１７】
［アクション５０１］
このアクション５０１において、通信システム１８０は、ホストコンピュータ１５０において、無線デバイス１３０のユーザのためのユーザデータを取得することができる。
【０１１８】
［アクション５０２］
このアクション５０２において、通信システム１８０は、ホストコンピュータ１５０において、無線デバイス１３０への、または、無線デバイス１３０からのユーザデータの通信を開始することができる。
【０１１９】
［アクション５０３］
いくつかの実施形態では、この方法は、無線デバイス１３０において、ホストコンピュータ１５０への、またはホストコンピュータ１５０からのユーザデータを通信するアクション５０３をさらに含むことができる。無線デバイス１３０は、ｉ.無線デバイス１３０が最後にセル選択および／または再選択を実行してからの時間の長さが第２の閾値を上回ること、および、ｉｉ.隣接セル測定がセル再選択をトリガすることに失敗した回数が第３の閾値を上回ること、のうちの少なくとも１つを決定するアクション３０１をさらに実行し得る。無線デバイス１３０は、時間の長さおよび回数のうちの少なくとも１つの決定の第１の結果に基づいて、無線デバイス１３０による最後のセル選択および／または再選択の後に測定された、第１の信号の最強の信号値をより低い値にリセットするアクション３０２をさらに実行し得る。無線デバイス１３０は、ａ）無線デバイス１３０による最後のセル選択および／または再選択の後に測定された第１の信号のリセットされた最強の信号値と、ｂ）サービングセル１２１からの第１の信号の現在の測定値との間の差が第４の閾値を上回るかどうかに基づいて、隣接セル１２２からの第２の信号を測定するか否かを決定するアクション３０３をさらに実行し得る。無線デバイス１３０は、測定するか否かの決定の第２の結果に基づいて、第２の信号の測定を開始するアクション３０４をさらに実行し得る。
【０１２０】
いくつかの実施形態では、アクション３０１〜３０４を実行する前に、無線デバイス１３０は、サービングセル１２１からの第１の信号の第１の測定値の結果が、第１の測定値が第１の閾値未満であることであることを決定していてもよい。
【０１２１】
通信とは、本明細書では受信または送信のいずれかを意味することができる。同様に、通信は、送信または受信であってもよい。ホストコンピュータ１５０が通信を開始し、通信が送信である場合、無線デバイス１３０における通信５０３は、ホストコンピュータ１５０から受信することを含むことができることを理解されたい。同様に、ホストコンピュータ１５０が通信を開始し、通信が受信である場合、無線デバイス１３０での通信５０３は、ホストコンピュータ１５０に送信することを含むことができることを理解されたい。
【０１２２】
本明細書の方法は、通信システム１８０において、無線デバイス１３０が上位レイヤによる緩和監視を用いて構成され得るときに実行され得る。
【０１２３】
図５に関連して上述した方法アクションを実行するために、通信システム１８０は、無線デバイス２３０およびホストコンピュータ１５０を含むように構成され得る。通信システム１８０はまた、第１のネットワークノード１１１を含むことが理解され得る。
【０１２４】
通信システム１８０は、ホストコンピュータ１５０において、無線デバイス１３０のユーザのユーザデータを取得するように構成され得る。通信システム１８０は、ホストコンピュータ１５０において、無線デバイス１３０との間でユーザデータの通信を開始するようにさらに構成され得る。
【０１２５】
図６は、図５に関連して上述した方法アクションを実行するために、ホストコンピュータ１５０が備えることができる構成のパネルａ）およびｂ）における２つの異なる例をそれぞれ示している。いくつかの実施形態では、ホストコンピュータ１５０は、図６ａに示す以下の構成を備えることができる。
【０１２６】
以下のいくつかの詳細な説明は、無線デバイス１３０について説明された動作に関連して、上記で提供された同じ参照に対応し、したがって、ここでは繰り返されない。
【０１２７】
ホストコンピュータ１５０は例えば、ホストコンピュータ１５０内のホストアプリケーションモジュール６０１の手段によって、無線デバイス１３０のユーザのユーザデータをホストコンピュータ１５０で取得するように構成することができる。ホストアプリケーションモジュール６０１は、ホストコンピュータ１５０のプロセッサ６０２、またはそのようなプロセッサ上で実行されるアプリケーションとすることができる。
【０１２８】
ホストコンピュータ１５０は例えば、ホストコンピュータ１５０内のホストアプリケーションモジュール６０１の手段によって、無線デバイス１３０へ、または、無線デバイス１３０からのユーザデータの通信を、ホストコンピュータ１５０において開始するように構成することができる。ホストアプリケーションモジュール６０１は、ホストコンピュータ１５０のプロセッサ６０２、またはそのようなプロセッサ上で実行されるアプリケーションとすることができる。
【０１２９】
ホストコンピュータ１５０における本明細書の実施形態は本明細書の実施形態の機能およびアクションを実行するためのコンピュータプログラムコードとともに、図６ａに示されるホストコンピュータ１５０におけるプロセッサ６０２などの１つまたは複数のプロセッサを介して実装され得る。本明細書で使用されるプロセッサは、ハードウェア構成要素であると理解され得る。上述のプログラムコードはまた、ホストコンピュータ１５０にロードされたときに本明細書の実施形態を実行するためのコンピュータプログラムコードを搬送するデータキャリアの形態で、コンピュータプログラム製品として提供されてもよい。そのようなキャリアの１つは、ＣＤ  ＲＯＭディスクの形成であってもよい。しかしながら、メモリスティックのような他のデータキャリアで実現可能である。コンピュータプログラムコードはさらに、純粋なプログラムコードとしてサーバ上に提供され、ホストコンピュータ１５０にダウンロードすることができる。
【０１３０】
ホストコンピュータ１５０は、１つまたは複数のメモリユニットを備えるメモリ６０３をさらに備えることができる。メモリ６０３は、取得された情報を記憶し、データ、構成、スケジューリング、およびアプリケーションなどを記憶し、ホストコンピュータ１５０で実行されるときに本明細書の方法を実行するために使用されるように構成される。
【０１３１】
いくつかの実施形態では、ホストコンピュータ１５０が例えば、第１のネットワークノード１１１、第２のネットワークノード１１２、および無線デバイス１３０のいずれかから、受信ポート６０４を介して情報を受信することができる。いくつかの実施形態では、受信ポート６０４は例えば、ホストコンピュータ１５０内の１つまたは複数のアンテナに接続することができる。他の実施形態では、ホストコンピュータ１５０は受信ポート６０４を介して、例えば無線通信ネットワーク１００内の電気通信システム１８０内の別の構造から情報を受信することができる。受信ポート６０４は、プロセッサ６０２と通信しているので、受信ポート６０４は受信した情報をプロセッサ６０２に送ることができる。受信ポート６０４はまた、他の情報を受信するように構成されてもよい。
【０１３２】
ホストコンピュータ１５０におけるプロセッサ６０２はさらに、例えば、第１のネットワークノード１１１、第２のネットワークノード１１２、無線デバイス１３０、および／または、例えば、無線通信ネットワーク１００内の電気通信システム１８０内の別の構造のいずれかに、プロセッサ６０２およびメモリ６０３と通信することができる送信ポート６０５を介して、情報を送信または送信するように構成することができる。
【０１３３】
また、当業者は上述のホストアプリケーションモジュール６０１がアナログモジュールとデジタルモジュールとの組み合わせ、および／またはプロセッサ６０２などの１つまたは複数のプロセッサによって実行されると、上述のように実行する、例えばメモリに格納されたソフトウェアおよび／またはファームウェアで構成された１つまたは複数のプロセッサを指すことができることを理解するのであろう。これらのプロセッサのうちの１つまたは複数、ならびに他のデジタルハードウェアは、単一の特定用途向け集積回路（ＡＳＩＣ）に含めることができ、または、個々にパッケージされているか、システムオンチップ（ＳｏＣ）に組み立てられているかにかかわらず、いくつかのプロセッサおよび各種デジタルハードウェアをいくつかの別個の構成要素の間で分散させることができる。
【０１３４】
また、いくつかの実施形態では、上述のホストアプリケーションモジュール６０１は、プロセッサ６０２などの１つまたは複数のプロセッサ上で実行される１つまたは複数のアプリケーションとして実装され得る。
【０１３５】
したがって、ホストコンピュータ１５０について本明細書で説明される実施形態による方法は、少なくとも１つのプロセッサ６０２上で実行されると、ホストコンピュータ１５０によって実行されるように、少なくとも１つのプロセッサ６０２に本明細書で説明されるアクションを実行させる命令、すなわちソフトウェアコード部分を備えるコンピュータプログラム６０６製品の手段によってそれぞれ実装され得る。コンピュータプログラム６０６製品は、コンピュータ可読記憶媒体６０７に記憶されてもよい。コンピュータプログラム６０６が記憶されたコンピュータ可読記憶媒体６０７は、少なくとも１つのプロセッサ６０２上で実行されると、ホストコンピュータ１５０によって実行されるように、少なくとも１つのプロセッサ６０２に本明細書に記載の動作を実行させる命令を含むことができる。いくつかの実施形態では、コンピュータ可読記憶媒体６０７は、ＣＤ  ＲＯＭディスク、またはメモリスティックなどの非一時的なコンピュータ可読記憶媒体とすることができる。他の実施形態では、コンピュータプログラム６０６製品は、上述したコンピュータプログラム６０６を含むキャリアに格納されてもよく、キャリアは上述したように、電子信号、光信号、無線信号、またはコンピュータ可読記憶媒体６０７のうちの１つである。
【０１３６】
ホストコンピュータ１５０は、ホストコンピュータ１５０と他のノードまたはデバイス、例えば、第１のネットワークノード１１１、第２のネットワークノード１１２、および無線デバイス１３０のいずれか、または無線通信ネットワーク１００内の他のノードまたはデバイスのいずれかとの間の通信を容易にするように構成されたインターフェース部または通信インターフェースを備えることができる。いくつかの特定の例では、インターフェースが例えば、適切な規格に従ってエアインターフェースを介して無線信号を送信および受信するように構成されたトランシーバ（送受信器）を含むことができる。
【０１３７】
他の実施形態では、ホストコンピュータ１５０は、図６ｂに示す以下の構成を備えることができる。ホストコンピュータ１５０は、ホストコンピュータ１５０およびメモリ６０３において、処理回路６０８、例えば、プロセッサ６０２などの１つまたは複数のプロセッサを備えることができる。ホストコンピュータ１５０は、例えば受信ポート６０４および送信ポート６０５を含むことができる無線回路６０９も含むことができる。処理回路６０８は、図６ａに関連して説明したのと同様の方法で、図５による方法アクションを実行するように構成することができる。無線回路６０９は第１のネットワークノード１１１、第２のネットワークノード１１２、および無線デバイス１３０のうちのいずれかとの少なくとも無線接続をセットアップし、維持するように構成され得る。回路は、本明細書ではハードウェア構成要素として理解することができる。
【０１３８】
したがって、本明細書の実施形態は、ホストコンピュータ１５０によるセル選択および／または再選択を処理するように動作するホストコンピュータ１５０にも関し、ホストコンピュータ１５０は、無線通信ネットワーク１００において動作するように動作する。ホストコンピュータ１５０は、処理回路６０８およびメモリ６０３を備えることができ、当該メモリ６０３は当該処理回路６０８によって実行可能な命令を含み、それによって、ホストコンピュータ１５０は例えば、図５において、ホストコンピュータ１５０に関連して本明細書で説明されるアクションを実行するようにさらに動作可能である。
【０１３９】
前述の段落で説明した無線デバイス１３０およびホストコンピュータ１５０の、一実施形態による例示的な実装形態を、図７を参照して以下に説明する。無線デバイス１３０は、図４または図７に示すような構成を備えることができる。ホストコンピュータ１５０は、図６または図７に示すような構成を備えることができる。この例示的な実装形態によると、電気通信システム１８０では、ホストコンピュータ１５０は、電気通信システム１８０の異なる通信デバイスのインターフェースとの有線または無線接続をセットアップおよび維持するように構成された通信インターフェース１１０２を含むハードウェア（ＨＷ）１１０１を備える。通信インターフェース１１０２は、上述のように、受信ポート６０４および送信ポート６０５を備えることができる。ホストコンピュータ１５０は、記憶および／または処理能力を有することができる処理回路６０８をさらに備える。特に、処理回路６０８は、命令を実行するように適合された、１つ以上のプログラマブルプロセッサ、特定用途向け集積回路、フィールドプログラマブルゲートアレイ、またはこれらの組み合わせ（図示せず）を備えてもよい。ホストコンピュータ１５０によって実行される本明細書の実施形態は、本明細書の実施形態の機能およびアクションを実行するためのコンピュータプログラムコードと共に、図６に示すホストコンピュータ１５０内の処理回路６０８などの１つまたは複数のプロセッサを介して実施することができる。上述のプログラムコードはまた、ホストコンピュータ１５０にロードされたときに本明細書の実施形態を実行するためのコンピュータプログラムコードを搬送するデータキャリアの形態で、コンピュータプログラム製品として提供されてもよい。そのようなキャリアの１つは、ＣＤ  ＲＯＭディスクの形成であってもよい。しかしながら、メモリスティックのような他のデータキャリアで実現可能である。コンピュータプログラムコードはさらに、純粋なプログラムコードとしてサーバ上に提供され、ホストコンピュータ１５０にダウンロードすることができる。
【０１４０】
ホストコンピュータ１５０のハードウェア１１０１は、図を簡略化するために図７には示されていないメモリ６０３をさらに備えることができる。
【０１４１】
図７の例におけるホストコンピュータ１５０はさらに、ソフトウェア（ＳＷ）１１０７を備え、これはホストコンピュータ１５０によって保存又はアクセス可能であり、処理回路６０８によって実行可能である。ソフトウェア１１０７は、ホストアプリケーション１１０８を含む。ホストアプリケーション１１０８は、無線デバイス１３０およびホストコンピュータ１５０で終端する第３のリンク１６０、例えば、ＯＴＴ接続を介して接続し、無線デバイス１３０などのリモートユーザにサービスを提供するように動作可能であってもよい。リモートユーザにサービスを提供する際に、ホストアプリケーション１１０８は、第３のリンク１６０、例えばＯＴＴ接続を使用して通信されるユーザデータを提供することができる。ホストアプリケーション１１０８は、ホストアプリケーションモジュール６０１によって実行されるような前述のアクションのいずれかを実行するように構成されるか、または実行するように動作可能であると理解することができる。
【０１４２】
処理回路６０８は、無線デバイス１３０のユーザにユーザデータを提供するように構成され得る。いくつかの実施形態では、ホストコンピュータ１５０の処理回路６０８がホストアプリケーション１１０８を実行し、それによってユーザデータを提供するように構成されてもよい。
【０１４３】
処理回路６０８は、ユーザデータを搬送する通信を無線デバイス１３０に開始するようにさらに構成され得る。
【０１４４】
通信インターフェース１１０２は、ユーザデータを、無線デバイス１３０を有する無線通信ネットワーク１００に通信するように構成され得る。
【０１４５】
当業者はまた、上記のホストアプリケーション１１０８がいくつかの他の例ではアナログモジュールおよびデジタルモジュールの組み合わせ、ならびに/または、処理回路６０８などの１つまたは複数のプロセッサによって実行されるときに、上記のように実行する、例えばメモリに格納されたソフトウェアおよび／またはファームウェアで構成された１つまたは複数のプロセッサを指すことができることを理解するのであろう。これらのプロセッサのうちの１つまたは複数、ならびに他のデジタルハードウェアは、単一の特定用途向け集積回路（ＡＳＩＣ）に含めることができ、または、個々にパッケージされているか、システムオンチップ（ＳｏＣ）に組み立てられているかにかかわらず、いくつかのプロセッサおよび各種デジタルハードウェアをいくつかの別個の構成要素の間で分散させることができる。
【０１４６】
また、いくつかの実施形態では、上述のホストアプリケーション１１０８は、処理回路６０８などの１つまたは複数のプロセッサ上で実行される１つまたは複数のアプリケーションとして実装され得る。
【０１４７】
電気通信システム１８０は、無線デバイス１３０をさらに含むことができ、無線デバイス１３０は、図７に示す以下の例示的な構成を備えることができる。無線デバイスは、図７の例では、第３のリンク１６０の一部として、無線デバイス１３０が現在位置するカバレッジエリアにサービスを提供する第１のネットワークノード１１１との第１のリンク１４１、例えば、無線接続をセットアップし、維持するように構成された無線インターフェース１２１１を含むことができるハードウェア１２１０を含むが、これは図７を簡略化するために図７には示されていない。無線デバイス１３０のハードウェア１２１０は、処理回路４１２をさらに含み、処理回路４１２は、命令を実行するように適合された１つまたは複数のプログラマブルプロセッサ、特定用途向け集積回路、フィールドプログラマブルゲートアレイ、またはこれらの組合せ（図示せず）を備えることができる。無線デバイス１３０は、図７の例ではさらに、無線デバイス１３０に記憶され、又はアクセス可能であり、処理回路４１２によって実行可能なソフトウェア１２１３を有することができる。ソフトウェア１２１３は、クライアントアプリケーション１２１４を含むことができる。クライアントアプリケーション１２１４は、ホストコンピュータ１５０のサポートにより、無線デバイス１３０を介して人間または非人間のユーザにサービスを提供するように動作可能である。ホストコンピュータ１５０では、実行中のホストアプリケーション１１０８が、無線デバイス１３０で終端する第３のリンク１６０、例えば、ＯＴＴ接続、およびホストコンピュータ１５０を介して、実行中のクライアントアプリケーション１２１４と通信することができる。ユーザにサービスを提供する際に、クライアントアプリケーション１２１４は、ホストアプリケーション１１０８から要求データを受信し、要求データに応答してユーザデータを提供することができる。第３のリンク１６０は、要求データとユーザデータの両方を転送することができる。クライアントアプリケーション１２１４は、ユーザと相互作用して、それが提供するユーザデータを生成することができる。クライアントアプリケーション１２１４は、クライアントアプリケーションモジュール４０５によって実行されるような前述のアクションのいずれかを実行するように構成されるか、または実行するように動作可能であると理解することができる。
【０１４８】
無線デバイス１３０およびホストコンピュータ１５０の内部動作は図７に示すようなものであってもよいし、図４および図６のいずれかに示すようなものであってもよく、独立して、周囲のネットワークトポロジは図２のものであってもよい。
【０１４９】
図７では、この図７ではＯＴＴ接続である第３のリンク１６０がホストコンピュータ１５０と無線デバイス１３０との間の通信を示すために概略的に描かれており、この通信は例えば、第１のネットワークノード１１１または第２のネットワークノード１１２を介するものであってもよく、中間デバイス、および、これらのデバイスを介するメッセージの正確なルーティングを明示的に参照するものではない。ネットワークインフラストラクチャは、無線デバイス１３０から、またはホストコンピュータ１５０を操作するサービスプロバイダから、またはその両方から隠すように構成され得るルーティングを決定し得る。ＯＴＴ接続がアクティブである間、ネットワークインフラストラクチャは例えば、ネットワークの負荷分散の考慮または再構成に基づいて、ネットワークインフラストラクチャがルーティングを動的に変更する決定をさらに行うことができる。
【０１５０】
無線デバイス１３０とホストコンピュータ１５０との間の第３のリンク１６０、および／または場合によっては第１のネットワークノード１１１および第２のネットワークノード１１２のいずれかは、本開示全体にわたって説明される実施形態の教示に従う。様々な実施形態のうちの１つまたは複数は、第１のリンク１４１の無線接続が最後のセグメントを形成することができる第３のリンク１６０のＯＴＴ接続を使用して、無線デバイス１３０に提供されるＯＴＴサービスの性能を改善する。
【０１５１】
電気通信システム１８０における無線デバイス１３０は、図４または図７に記載される構成のいずれかを備え得ることが理解され得る。同様に、電気通信システム１８０におけるホストコンピュータ１５０は、図６または図７で説明した構成のいずれかを含むことができる。
【０１５２】
本文書の実施形態は、ＬＴＥ、ＬＴＥ−Ｍ、ｅＭＴＣ、ＮＢ−ＩｏＴ、削減されたＵＥ電力消費、セル選択、セル再選択、近隣セル測定、周波数内測定、周波数間測定、測定規則、アイドルモード測定に関係する。
【０１５３】
用語「含む」または「含む」を使用する場合、それは、非限定的であると解釈されるべきであり、すなわち、「少なくともからなる」を意味する。
【０１５４】
本明細書の実施形態は、上述の好ましい実施形態に限定されない。様々な代替、修正、および均等物を使用することができる。したがって、上記の実施形態は、本発明の範囲を限定するものとして解釈されるべきではない。
【図１】
2020530219.tif 000003
【図２】
2020530219.tif 000004
【図３】
2020530219.tif 000005
【図４】
2020530219.tif 000006
【図５】
2020530219.tif 000007
【図６】
2020530219.tif 000008
【図７】
2020530219.tif 000009
【国際調査報告】
2020530219.tif 000010
2020530219.tif 000011